(57)【要約】【課題】本発明は収納システムに関するものである。【解決手段】本発明の収納システムは、少なくとも１つの荷物を保管することに用いられ、ボックス、給電モジュール及び使用者拡充モジュールを含む。ボックスは本体及びドアを含み、該本体及び該ドアで形成された収納空間に荷物を収納し、使用者がドアを開いてから該収納空間内の荷物を取出すことができる。給電モジュールは、ボックス上に設置されかつ安定な電気を提供することができる。使用者拡充モジュールは、給電モジュールに電気的に接続される。使用者拡充モジュールは少なくとも１つの電気接続モジュールによって電子装置と電気接続をし、電子装置は前記安定な電気で充電を行う。【選択図】図２
2015220978.tif 000002
【特許請求の範囲】
【請求項１】
荷物を保管する収納システムであって、該収納システムは、
本体及びドアを含み、該本体及び該ドアで形成された収納空間に前記荷物を収納し、かつ使用者が前記ドアを開いてから該収納空間内の荷物を取出すボックスと、
前記ボックス上に設置され、かつ安定な電気を提供する給電モジュールと、
前記給電モジュールに電気的に接続される使用者拡充モジュールであって、該使用者拡充モジュールは少なくとも１つの電気接続モジュールによって電子装置と電気接続し、該電子装置は前記安定な電気で充電操作を行う使用者拡充モジュールと、を含む収納システム。
【請求項２】
前記使用者拡充モジュールにパソコン本体とインターネット通信モジュールが更に設けられることにより、前記給電モジュールで前記電子装置を充電するかどうかを制御する、請求項１に記載の収納システム。
【請求項３】
前記ドアは電子ロックモジュールを更に含み、該電子ロックモジュールが前記給電モジュールに電気的に接続されることにより前記ドアを前記本体にロックする、請求項１に記載の収納システム。
【請求項４】
前記ボックスは表示区域を更に含み、前記電子装置の表示モジュールと前記表示区域が連動することにより該表示区域で前記表示モジュールの画面を表示する、請求項１に記載の収納システム。
【請求項５】
前記電気接続モジュールは少なくとも１つの通用配列型バスバーソケットと１つの多用性ソケットを含む、請求項１に記載の収納システム。
【請求項６】
前記収納システムは荷物預かりボックスであり、かつ該荷物預かりボックスが少なくとも１つのロックモジュールを含むことにより前記ドアを前記本体にロックする、請求項１に記載の収納システム。
【発明の詳細な説明】
【技術分野】
【０００１】
本発明は、収納システムに関し、特に電子装置を収納システムに収納したまま充電を行うことにより、（電子装置を充電する時）使用者が電子装置の近傍で電子装置を見守ることが不要である、収納システムに関するものである。
【背景技術】
【０００２】
世界の各地を旅行するバックパッカーは通常、色々な電子装置、例えばデジタルカメラ、携帯電話又はタブレットパソコンなどを携帯し、かつこれらの電子装置を充電することにより、電子装置に所定の電気を提供するとともに電子装置の正常な操作を確保する。しかしながら、バックパッカーが使用する旅館、ホテル又は手荷物預かり場所は通常開放的な空間であるので、バックパッカーが電子装置を充電する過程に当該電子装置が盗まれることを防止するため、電子装置の近傍で充電が終わるまで電子装置を見守らなければならないので、充電が終わらなければ旅行又は活動を続けることができない。それは、自由性及び利便性を重視するバックパッカーにとって非常に不便なことである。
【０００３】
したがって、電子装置を収納システムに収納したまま充電を行うことにより電子装置が盗まれることを防止する収納システムを提供することは、本技術分野の重要な課題になっている。
【発明の概要】
【発明が解決しようとする課題】
【０００４】
本発明の主な目的は、電子装置を収納したまま充電を行うことにより、電子装置が盗まれることを防止する収納システムを提供することにある。
【課題を解決するための手段】
【０００５】
本発明は、少なくとも１つの荷物を保管することができる収納システムを提供する。該収納システムは、ボックス、給電モジュール及び使用者拡充モジュールを含む。前記ボックスは本体及びドアを含み、該本体及び該ドアで形成された収納空間に前記荷物を収納し、使用者が前記ドアを開いてから該収納空間内の荷物を取出す。前記給電モジュールは、前記ボックス上に設置されかつ安定な電気を提供する。前記使用者拡充モジュールは、前記給電モジュールに電気的に接続される。前記使用者拡充モジュールは少なくとも１つの電気接続モジュールによって電子装置と電気接続をし、該電子装置は前記安定な電気で充電操作を行う。
【図面の簡単な説明】
【０００６】
【図１】本発明の実施例に係る収納システムの閉鎖状態を示す図である。
【図２】本発明の実施例に係る収納システムの解放状態を示す図である。
【図３】本発明の他の実施例に係る収納システムを示す図である。
【図４】本発明の他の実施例に係る収納システムを示す図である。
【発明を実施するための形態】
【０００７】
この明細書及び後述する特許請求の範囲において、所定の語彙で所定の部品を説明していくが、この技術分野の技術者又は製造メーカで異なる語彙で同様な部品を説明することができる。この明細書及び後述する特許請求の範囲は、名称の相違で部品の間の相違を示せず、各部品の色々な機能で部品の間の相違を示す。この明細書及び後述する特許請求の範囲に記載される「含む／具備する／有する」という用語は解放的な用語であり、これらは「を含む／具備する／有するが、本発明はこれに限定されるものではない」という意味も含んでいる。また、「接続」という用語は、電子部品同士が直接に電気接続されること及びこれらの電子部品同士が間接に電気接続されることを意味する。したがって、「第一装置が第二装置に接続される」という記載は、第一装置が直接に第二装置に接続されるか或いは第一装置が間接に第二装置に接続されることを意味することができる。
【０００８】
図１及び図２を参照すると、図１及び図２は本発明の実施例に係る収納システム１を示す図である。具体的に、図１は収納システム１の閉鎖状態を示す図であり、図２は収納システム１の開放状態を示す図である。図１及び図２に示されるとおり、収納システム１は、ボックス１０、給電モジュール１２、使用者拡充モジュール１４及びロックモジュール１６を含む。ボックス１０は本体１００及びドア１０２を含む。
【０００９】
本実施例において、収納システム１は荷物預かりボックスであり、これは通常解放的場所、例えば簡素な旅館のルーム内又はホテルのロビーに設けられる。本体１００とドア１０２で構成される空間に使用者の荷物を保管するか或いは預けることができる。荷物預かりボックスに設けられるロックモジュール１６は、従来の機械回転式錠であり、かつドア１０２を本体１００に緊密にロックすることができるので、関係者以外の人は外力でドア１０２を自由に開くことができない。すなわち、使用者が機械回転式錠でドア１０２を本体１００にロックすることができるので、荷物を収納システム１内に保管することができる。本実施例の収納システム１は、収納空間のサイズ、数量に関する事項を限定しない。すなわち、本実施例において、荷物預かりボックスの内部に１つ又は複数の隔離板、収納袋、多機能フック又はこれらに類似する収納モジュール／ユニットを設けることにより、荷物預かりボックスの収納空間を分割するとともに数量、サイズが異なる複数個の子収納空間を形成することができるので、使用者がサイズが異なる色々な物をそれぞれ複数個の子収納空間に収納することがことができる。上述した事項はすべてが本発明の範囲に含まれる。
【００１０】
給電モジュール１２は、蓄電ユニットで電気を貯蓄しかつ使用状況によって交換することができるユニット（例えば、バッテリーユニット）に対応する。給電モジュール１２は電気供給ユニットであり、該給電モジュール１２を一般使用者向けの電気伝送ケーブル又は配電ケーブルに電気的に接続させることができる。この場合、収納システム１は、給電モジュール１２から安定な電気を得ることができる。好ましくは、本実施例の給電モジュール１２は電気伝送ケーブル又は配電ケーブルに電気的に接続されるソケットであり、かつ収納システム１の側面の下側に設けられる。これにより、（収納システム１の）管理者が収納システム１を容易に配置し、かつ収納システム１に（電気伝送ケーブル又は配電ケーブルを）電気的に接続させることにより安定な電気を得ることができる。しかし、上述した事項は本発明の範囲に限定されるものではない。
【００１１】
使用者拡充モジュール１４は、複数個の通用配列型バスバーソケット１４０及び１つの多用性ソケット１４２を含む。本実施例の使用者拡充モジュール１４は、給電モジュール１２に電気的に接続される中実の連結線１４３（電気接続モジュール）を更に含む。使用者拡充モジュール１４は、通用配列型バスバーソケット１４０と多用性ソケット１４２のような二種のソケットのみを含むものではなく、使用者が使用する色々な電子装置によって、使用者拡充モジュール１４に色々な種類及び色々なサイズのソケット孔、ソケットユニットなどを更に設けることができる。これにより、使用者拡充モジュール１４を色々な電子装置に電気的に接続させることができる。本技術分野の常用技術を有している者は、給電モジュール１２と使用者拡充モジュール１４との間の接続方法を変換することもできる。すなわち、本実施例において、使用者拡充モジュール１４と電子装置との間は有線接続によって接続されているが、本技術分野の常用技術を有している者は、使用者拡充モジュール１４と電子装置との間の接続を無線接続に変換することもできる。これにより、連結線（又はケーブル）が絡むことによって片付けしにくく、収納が不便になることを避けることができる。この場合、使用者は、使用者拡充モジュール１４が有している色々なソケットに複数個の電子装置を電気的に接続させることにより、複数個の電子装置を同時充電することができる。また、使用者拡充モジュール１４が無線充電モジュール（図示せず）を更に含み、かつ該無線充電モジュールで使用者の複数個の電子装置を同時充電することも本発明の範囲に含まれる。
【００１２】
上述したとおり、本実施例の収納システム１は、荷物を収納する機能と電子装置を充電する機能を有している。また、ロックモジュール１６でドア１０２を本体１００にロックすることにより、収納システム１内の電子装置が盗まれることを防止することができる。また、給電モジュール１２と使用者拡充モジュール１４の組合せで電子装置を充電することにより、電子装置を充電する時使用者が電子装置の近傍で電子装置を見守ることが不要であり、使用者の行動の自由性を向上させることができる。
【００１３】
図３を参照すると、図３は本発明の他の実施例に係る収納システム３を示す図である。図３に示すとおり、図３の収納システム３と図１の収納システム１は類似しているが、両者の相違点は、収納システム３が収納システム１のロックモジュール１６の代りに電子ロックモジュール３６を用いることにある。該電子ロックモジュール３６は、デジタル化の複数個の入力用ボタン及び１つの表示パネルを含む。使用者が複数個の入力用ボタンでユーザーパスワードを入力することにより、収納システム３を閉鎖状態と開放状態との間で切り替えることができる。表示パネルが、使用者が入力したユーザーパスワードを表示することができるので、使用者が入力したユーザーパスワードが正しいかどうかを使用者に知らせることができる。本実施例の電子ロックモジュール３６は、給電モジュール１２と使用者拡充モジュール１４が提供する安定な電気で作動することができる。したがって、管理者が手動で従来の機械回転式錠を回転させることによってユーザーパスワードを変更せず、電子ロックモジュール３６でデジタル変更を行うことができる。本実施例の電子ロックモジュール３６は、磁場感応でロックするロック方法を用いることもできる。この場合、使用者が磁場感応カードで収納システム３を開くことができるので、使用者がユーザーパスワードを忘れてしまうことを避け、かつ利便性を向上させることができる。
【００１４】
図４を参照すると、図４は本発明の他の実施例に係る収納システム４を示す図である。図１の収納システム１と比較してみると、図４の収納システム４は表示区域４８を更に含む。該表示区域４８は透明カバーを含み、かつ収納システム４の外部の人が該透明カバーを容易に壊すことができないので、収納システム４内の電子装置が盗まれることを避けることができる。表示区域４８のサイズは電子装置の表示モジュールのサイズに対応し、かつ表示区域４８が電子装置の表示モジュールの画面を表示することができる（すなわち両者が連動する）ことにより、表示区域４８で表示モジュールの画面を表示することができる。表示区域４８の設置方法、数量などは本発明が定める事項ではない。表示区域４８に有線／無線のマウス、キーボード又は他の入力装置を接続させることにより、収納システム４内の電子装置を操作及び応用することができる。この場合、使用者は、電子装置を充電しながら当該電子装置で映画を放送するか、インターネットを閲覧するか或いは電子ファイルを編集することができる。上述した事項はすべてが本発明の範囲に含まれる。
【００１５】
また、本発明の収納システムは、使用者拡充モジュールに電気的に接続されるユーザーインターフェイスを更に含み、かつ使用者拡充モジュール内に更に設けられる監視モジュールで電子装置の充電状況を監視することができる。この場合、使用者は、監視モジュールとユーザーインターフェイスで電子装置の充電操作が終わるかどうかを把握するか或いは電子装置の充電時間を把握することができる。上述した事項はすべてが本発明の範囲に含まれる。
【００１６】
また、本実施例の収納システムの収納空間内にパソコン本体とインターネット通信モジュールを更に設け、かつパソコン本体とインターネット通信モジュールを給電モジュール１２に電気的に接続させることにより、パソコン本体とインターネット通信モジュールの正常な運行を確保することができる。この場合、インターネット通信モジュールでパソコン本体と制御パソコン本体を電気接続させることができるので、使用者は遠隔制御／監視をすることにより電子装置の充電状況を把握することができ、管理者は現在の充電電流が使用者に予め設定された所定の充電電流を越える場合、使用者の操作方法が正しいかどうか（例えば、使用者が過量の電子装置を同時充電することによりヒューズが飛ぶこと）を管理することができる。管理者は、遠隔操作で電子ロックモジュールのデジタル化のユーザーパスワードを変更又は設定するか、或いは収納システムのドアを開放又は閉鎖することにより収納システムを開放状態と閉鎖状態との間で切り替えることができる。これにより、管理者が他の技術者を雇用して、ユーザーパスワードを変更又は設定するか或いは電子ロックモジュールを開くことができない問題を解決することが不要であり、かつ収納システムの応用範囲を広げることができる。
【００１７】
以上、本発明の好適な実施例を詳述してきたが、本発明の構成は上記の実施例に限定されるものではない。例えば、本技術分野の技術者は、図１〜図４に示される複数の実施例を直接又は間接に参照することにより、給電モジュール、使用者拡充モジュール、ロックモジュール、表示区域、ユーザーインターフェイス又は監視モジュールの数量を適当に加減することができる。この場合、管理者が複数の空間に設けられた複数個の収納システムを同時監視及び管理することにより、管理効率を向上させることができる。使用者が遠隔制御／監視をすることにより電子装置の充電操作を行うことは、すべてが本発明の範囲に含まれる。他の実施例において、使用者拡充モジュールに電磁ロックユニットを更に設け、電子装置に他の電磁ユニットを更に付加、吸着又は接続することもできる。この場合、使用者は、安定な電気で電磁ロックユニットの電磁吸引力を起動することにより、電磁ロックユニットを電子装置の電磁ユニットに固定し、かつ収納システムの使用者拡充モジュールに電子装置をロックする機能を含ませることができるので、本体とドアとの間のロックモジュールの操作者がいなくてもよい。上述した事項も本発明の応用範囲に含まれる。
【００１８】
上述したとおり、本発明の実施例に係る収納システムは、使用者の電子装置を保管／収納することができ、かつ電子装置を収納システムに収納したまま充電することができるので、電子装置を充電する時使用者が電子装置の近傍で電子装置を見守ることが不要である。また、収納システムに表示区域が設けられることにより、使用者は電子装置を充電しながら映画を放送するか、電子ファイルを編集する或いはインターネットを閲覧することができる。また、収納システムにパソコン本体とインターネット通信モジュールを更に設けることにより、収納システムの遠隔操作を行うことができる。この場合、使用者又は管理者は、遠隔操作で電子装置の充電状況を把握することができ、かつデジタル化の管理方法で収納システムを管理することにより、収納システムの正常な運行を管理する作業者の人数を減らし、収納システムの応用範囲を広げることができる。
【００１９】
以上、本発明の実施例を図面により詳述してきたが、上述した実施例は本発明の例示にしか過ぎないものであるため、本発明は上述した実施例の構成にのみ限定されるものではなく、本発明の要旨を逸脱しない範囲の設計の変更等があっても本発明に含まれることは勿論である。
【符号の説明】
【００２０】
１、３、４  収納システム
１０、４０  ボックス
１００、４００  本体
１０２、４０２  ドア
１２  給電モジュール
１４  使用者拡充モジュール
１４０  通用配列型バスバーソケット
１４２  多用性ソケット
１４３  連結線
１６  ロックモジュール
３６  電子ロックモジュール
４８  表示区域
【図１】
2015220978.tif 000003
【図２】
2015220978.tif 000004
【図３】
2015220978.tif 000005
【図４】
2015220978.tif 000006